(57)【特許請求の範囲】
【請求項１】
上面部に排水入口を形成し、側面部に出水排水管、レリースワイヤを通す技管などが設けられた低い多角形柱状筺体でなる偏平な形態の排水クロス継手であって、継手本体は、取水排水管を配設する底面が台形の四角柱状形態の排水ガイド部と、偏平なほぼ長方体状形態の貯留部とで構成され、該貯留部の側面部にはキャップで閉塞される開口を設け、該開口を閉塞するキャップには少なくともレリースワイヤを通す枝管が配設されていることを特徴とする排水クロス継手。
【請求項２】
レリースワイヤを通す枝管が偏位置に配設されたキャップを継手本体の開口に密着接合し、該キャップの上下方向、又は左右方向を変更しても開口の閉塞ができるようにされたキャップ及び開口の相互の形態であることを特徴とする請求項１記載の排水クロス継手。
【発明の詳細な説明】
【技術分野】
【０００１】  本発明は、浴槽、洗面化粧台等の下水管への接続配管に用いられる排水クロス継手に係るものである。詳しくは、浴槽、洗面ボールの排水口金具に接続する排水管の屈曲管として床下に設置される扁平な排水クロス継手に関するものである。
【背景技術】
【０００２】  浴槽、洗面化粧台等において、溜り水を排水する場合には、浴槽、洗面ボールの排水口金具に接続される排水管を経て、排水トラップなどを介して下水管へ排水されるようになっている。
浴槽、洗面ボールの排水口にガイドパッキンを介して排水口金具を挿し込むと共に、排水口より裏面に突出する排水金具下部分に固定ナットを螺合されることによって、浴槽、洗面ボールに排水口金具が取り付けられ、その排水口金具下部分に排水管の排水クロス継手が螺合などして取り付けられる。（特許文献１）【０００３】  近年の高齢化が進み、排水栓の開閉操作を簡便且つ容易にできるようにするために、排水栓の開閉を遠隔操作で行い得るものである。この遠隔操作には、レリースワイヤを必要とし、このレリースワイヤを排水管の配管にセットするため、レリースワイヤを通す枝管が排水クロス継手に設けられたものがある。【０００４】  また、浴槽などでは、浴槽下の排水管の配管空間に制約があり、更に、この浴槽下の配管空間をより狭められる傾向から、必要上、これに配管される排水クロス継手は薄形の偏平なものになる傾向がある。【０００５】  そして、偏平なものにもかかわらず排水性を損なわない低廉な排水クロス継手が求められ、そのような排水口金具下部分に螺合などして取り付けられる排水クロス継手は、この取り付けのための環状鍔部を排水入口として上面部に形成し、側面部に取水管及びレリースワイヤを通す枝管が設けられた扁平な継手本体でなるものである。そして、排水入口と出水排水管との間に筒部を設け、排水回り込み空間を形成して、排水性を向上させるようにしたものである。（特許文献２）【０００６】
【特許文献１】  実開平２−６７７７
【特許文献２】  特開平８−３３８０５４
【発明の開示】
【発明が解決しようとする課題】
【０００７】  高齢化が進み、床に段差をなくす住宅設計がされる現状では、床下のクリアランスが狭められるために一層薄形とし、また、排水栓の開閉を遠隔操作するために設けられたレリースワイヤを通す枝管が、このような排水クロス継手を成形するには難しくし、その上、配管施工するにも困難であった。そして、この排水クロス継手が薄形とされたために、偏平に拡げないかぎり、その容積を小さくさせてしまって、排水性を損なうことになる。【０００８】  また、出水排水管及びレリースワイヤを通す枝管が設けられる排水クロス継手を狭いクリアランスの床下などへ配管施工できるようになったとしても、出水排水管及びレリースワイヤを通す枝管には方向性があって、これを解消するためには、複数種のパターンの排水クロス継手を用意しておかなければならないという不都合があった。
【課題を解決するための手段】
【０００９】  本発明は、床下のクリアランスが狭い状態であっても、薄い偏平な排水クロス継手によって、配管施工をしやすくすることができ、また、薄い偏平なものであったとしても排水性を損なわない容積の構造にし、そして、出水排水管及びレリースワイヤを通す技管の位置が種々異なるパターンであっても、継手本体の側面部に開口を設け、該開口が閉塞されるキャップを設けることによって、各種のパターンの配管施工が可能とされる排水クロス継手を提供することにある。【００１０】  請求項１記載の発明の排水クロス継手は、上面部に排水入口を形成し、側面部に出水排水管、レリースワイヤを通す枝管などが設けられた低い多角形柱状筺体でなる偏平な形態であって、継手本体は、取水排水管を配設する底面が台形の四角柱状形態の排水ガイド部と、偏平なほぼ長方形状形態の貯留部とで構成され、該貯留部の側面部にはキャップで閉塞される開口を設け、該開口を閉塞するキャップには少なくともレリースワイヤを通す枝管が配設されているものである。【００１１】  請求項２記載の発明の排水クロス継手は、レリースワイヤを通す枝管が偏位置に配設されたキャップを継手本体の開口に密着接合し、該キャップの上下方向、又は左右方向を変更しても開口の閉塞ができるようにされたキャップ及び開口の相互の形態であるものである。
【発明の効果】
【００１２】  本発明の排水クロス継手は、側面部に開口を形成した継手本体と、その開口が閉塞される少なくともレリースワイヤを通す枝管が配設されたキャップとでなる薄形の偏平なものであって、複雑な構造となっていても、継手本体とキャップとを別々に成形することができるので、成形加工しやすく、また、継手本体は、底面が台形の四角柱状形態の排水ガイド部とほぼ長方体状形態の貯留部を設けることによって、従来の円柱状形態の貯留部より貯留容積を大きくし、出水排水管からの吐出力を増大させ、且つ、出水排水管の配設位置に排水ガイド部を設けることで、出水排水管への吐出に渦流を起すことなく流暢な流れとすることができる。
そして、出水排水管及びレリースワイヤを通す枝管などが、その排水クロス継手の側面部に形成されて、方向性を生じる状態になったとしても、レリースワイヤを通す枝管が偏位置に配設されたキャップを用意するだけで、複数種のパターン状態の配管施工が容易にできるものである。
【発明を実施するための最良の形態】
【００１３】  以下、本発明の排水クロス継手の実施形態を図面に基づいて説明する。【００１４】  図１は、排水クロス継手の取り付け状態を示すものであって、浴槽Ａの排水口Ａ１にガイドパッキンＰを介して排水口金具Ｂを挿し込み、排水口Ａ１より裏面に突出した排水口金具の下部分に止水パッキンＮを介して、排水口金具下部分に排水クロス継手Ｃが螺合などして取り付けられている。【００１５】  排水口Ａ１に設置された排水栓Ｖを遠隔操作するためにレリースワイヤＷが排水栓Ｖより支持体Ｍを介して浴槽リム面Ａ２の遠隔操作部分Ｓに取り付けられ、このレリースワイヤＷは、排水クロス継手Ｃのレリースワイヤを通す枝管４、そしてそれに接続されたチューブＴを通して浴槽リム面Ａ２に至らしめている。【００１６】  排水クロス継手Ｃは、図２、図３、図４及び図５、図６、図７に示すように、継手本体１，１１と、キャップ２、２１とで構成されている。
継手本体１，１１は、低い多角形柱状筺体でなる偏平な形態をしており、この偏平な多角形柱状筺体の形態の継手本体１，１１は、出水排水管５を配設する底面が台形の四角柱状形態の排水ガイド部１４と、偏平なほぼ長方体状形態の貯留部１５とで構成され、該貯留部の側面部にはキャップ２，２１で閉塞される開口１２を設け、キャップ２，２１の上下方向、又は左右方向の変更がされても開口の閉塞をできるようにした開口１２の形態とするために、長方体状形態の貯留部１５の片側部には凸部分１３を形成している。
そして、この継手本体１，１１の上面部には、排水入口３を設け、その排水入口３に螺合ネジ３１が刻設され、排水口金具下部分へ螺合などして接続される。
継手本体１，１１の排水ガイド部１４には、継手本体１，１１の高さ寸法より多少大きな径の出水排水管５が配設され、図２，３，４による継手本体１では、レリースワイヤを通す枝管４を出水排水管５に並設する。【００１７】  キャップ２，２１は、継手本体１，１１の開口１２に密着接合されるよう弓状を呈し、その上下方向、又は左右方向を変更しても密着接合に支障しない形態とし、図５，６，７によるキャップ２１では、偏位置にレリースワイヤを通す枝管４が配設されている。【００１８】  図２，３，４は、継手本体１が上面部に排水入口３を配し、側面部に出水排水管５、レリースワイヤを通す枝管４を設けた場合のものであり、図５，６，７は、継手本体１１が上面部に排水入口３を配し、側面部に出水排水管５のみを設け、レリースワイヤを通す枝管４がキャップ２１に設けられている場合のものである。【００１９】  なお、出水排水管５、及びレリースワイヤを通す枝管４などの配設位置は上記位置に必ずしも限定するものでない。【００２０】  図８は、キャップ２１の上下方向、又は左右方向を変更しても密着接合に支障しない互換性ある排水クロス継手であることを説明するものである。
継手本体１，１１とキャップ２，２１とでなる排水クロス継手Ｃは、キャップ２，２１の上下方向又は左右方向を変更してもキャップ２，２１が継手本体１，１１の開口１２に密着接合し、互換性を要し、レリースワイヤを通す枝管４が偏位置に配設されたキャップ２１にあっては、キャップ２１が上下方向又は左右方向を変更しても継手本体１１の開口１２へ密着接合可能に形成されているので、レリースワイヤを通す枝管４の位置が変えられたパターンの排水クロス継手Ｃが得られることになる。
即ち、継手本体１１とキャップ２１とをａなる接合がされれば、レリースワイヤを通す枝管４は右方へ偏り、キャップ２１の上下方向、又は左右方向を変更してｂなる接合がされれば、レリースワイヤを通す枝管４は、左方へ偏る排水クロス継手Ｃが形成される。【００２１】  なお、図８は、図５，６，７の出水排水管５のみが配設された継手本体と、レリースワイヤを通す枝管４が設けられたキャップ２１との接合パターンを示すものであるが、図９で示すように、図２，３，４の如く、出水排水管５とレリースワイヤを通す枝管４とが配設された継手本体１と、何も配設されていないキャップ２とが接合されたパターンであってもよく、各々が互換性あるものであることは云うまでもない。【００２２】  よって、本発明の排水クロス継手Ｃは、浴槽Ａなどへの取り付けでは、薄い多角形柱状筺体の偏平なものであるので、クリアランスのない狭い床下での設置、施工が容易にできる上、浴槽Ａの排水口金具Ｂへの取り付けも排水入口３で堅固にでき、レリースワイヤを通す枝管４の配設位置も、数種の継手本体１，１１とキャップ２，２１との種々の選択組合せ接合でできるので、複数のパターンの配管施工にも対応できるものである。【００２３】  そして、本発明の排水クロス継手Ｃは、単に薄い偏平なものであるだけでなく、貯留部１５と排水ガイド部１４とで多角形柱状筺体にしたので、排水入口３より流れ込んだ排水が貯留部１５へ満たされて充分に貯留し、この貯留した排水の圧力で一気に出水排水管５へ吐出され、且つ、それも排水ガイド部１４が底面台形の四角柱状形態をしているので、流暢な流れにすることができる。【００２４】  また、本発明の排水クロス継手Ｃは、出水排水管５、及びレリースワイヤを通す枝管４などを設けた継手本体１，１１とキャップ２，２１とによる組合せによる構成のものにあるので、複雑な構成でも、これをパーツによって成形ができる上、このパーツを組合せることによって、種々の出水排水管５、レリースワイヤを通す枝管４の位置パターンが形成することができる。
そしてまた、このキャップ２，２１と継手本体１，１１との組合せが継手本体１，１１の側面部に形成した出水排水管５の配設位置より遙かに遠い開口１２で行われるので、出水排水管５に加わった応力によってその接合部分に影響を及ぼし、破損させるようなことがないものである。
【図面の簡単な説明】
【００２５】
【図１】排水クロス継手の取り付け状態図である。
【図２】継手本体に出水排水管及びレリースワイヤを通す枝管が配設された排水クロス継手の上面図である。
【図３】その排水クロス継手の前側面図である。
【図４】その排水クロス継手の横側面図である。
【図５】継手本体に出水排水管のみを配設し、レリースワイヤを通す枝管がキャップに設けられた排水クロス継手の上面図である。
【図６】レリースワイヤを通す枝管がキャップに設けられた排水クロス継手の前側面図である。
【図７】レリースワイヤを通す枝管がキャップに設けられた排水クロス継手の横側面図である。
【図８】排水クロス継手の組合せパターン説明図である。
【図９】排水クロス継手の組合せ説明図である。
【符号の説明】
【００２６】Ａ        浴槽
Ｂ        排水口金具
Ｃ        排水クロス継手
Ｗ        レリースワイヤ
１，１１  継手本体
１２      開口
１３      凸部分
１４      排水ガイド部
１５      貯留部
２，２１  キャップ
３        排水入口
３１      螺合ネジ
４        レリースワイヤを通す枝管
５        出水排水管
【図１】
0004904537.tif 000002
【図２】
0004904537.tif 000003
【図３】
0004904537.tif 000004
【図４】
0004904537.tif 000005
【図５】
0004904537.tif 000006
【図６】
0004904537.tif 000007
【図７】
0004904537.tif 000008
【図８】
0004904537.tif 000009
【図９】
0004904537.tif 000010